(57)【要約】【課題】クロストーク領域の発生位置をより柔軟に設定する。【解決手段】画像表示装置は、第１と第２の方向のそれぞれに、第１および第２画像を表示する。この画像表示装置は、第１画像を表示させる第１表示セルと第２画像を表示させる第２表示セルとが所定方向に交互に配置された表示パネルと、第１および第２表示セルに対応して設けられた第１開口部を有する光学手段と、を備えている。光学手段は、第１開口部を介して第１および第２表示セルからの光をそれぞれ第１と第２の方向に出射する。第１および第２表示セルを含む複数の表示セルの各々は、第２開口部と、第２開口部を区画し、かつ、第２開口部の所定方向に沿った開口幅をセル間隔よりも狭く制限する遮光領域と、を有している。第１表示セルの第２開口部の所定方向に沿った開口幅は、第２表示セルの第２開口部の所定方向に沿った開口幅と異なっている。【選択図】図５
2009014996.tif 000002
【特許請求の範囲】
【請求項１】
第１の方向に第１画像を表示させ、前記第１の方向とは異なる第２の方向に第２画像を表示させる画像表示装置であって、
前記第１画像を表示させる第１表示セルと、前記第２画像を表示させる第２表示セルとを有する複数の表示セルを備え、所定のセル間隔で前記第１表示セルと前記第２表示セルとが所定方向に交互に配置された表示パネルと、
前記第１表示セルと前記第２表示セルとに対応して設けられた第１開口部を有し、前記第１開口部を介して前記第１表示セルからの光を前記第１の方向に出射し、前記第１開口部を介して前記第２表示セルからの光を前記第２の方向に出射する光学手段と、
を備え、
前記複数の表示セルの各々は、
第２開口部と、
当該第２開口部を区画し、かつ、前記第２開口部の前記所定方向に沿った開口幅を前記セル間隔よりも狭く制限する遮光領域と、
を有しており、
前記第１表示セルの前記第２開口部の前記所定方向に沿った開口幅は、前記第２表示セルの前記第２開口部の前記所定方向に沿った開口幅と異なっている、
画像表示装置。
【請求項２】
請求項１記載の画像表示装置であって、
前記複数の表示セルの各々において、前記遮光領域は、前記所定方向の両端部に設けられており、
前記複数の表示セルは、前記所定方向に沿って配置される、前記第２表示セルとしての第１セル、前記第１セルに隣接し前記第１表示セルとしての第２セル、前記第２セルに隣接し前記第２表示セルとしての第３セルとを有しており、
前記第１セルの前記第２開口部と前記第２セルの前記第２開口部との間の前記所定方向に沿った寸法は、前記第２セルの前記第２開口部と前記第３セルの前記第２開口部との間の前記所定方向に沿った寸法よりも長く設定されている、
画像表示装置。
【請求項３】
請求項２記載の画像表示装置であって、
前記第２セルの前記第２開口部と前記第３セルの前記第２開口部との間の前記所定方向に沿った寸法は、前記第１開口部の前記所定方向の寸法とほぼ同一に設定されている、
画像表示装置。
【請求項４】
請求項１ないし３のいずれか記載の画像表示装置であって、
前記表示セルは、
前記画像光を生成するための一次光を射出する光源セルと、
前記光源セルよりも前記光学手段側に設けられ、前記一次光を前記画像光に変換する色変換セルと、を有しており、
前記セル間隔は、前記光源セルにおいて前記一次光の変調領域を決定する前記光源セルの構造上の間隔である、
画像表示装置。
【請求項５】
請求項１ないし４のいずれか記載の画像表示装置であって、
前記画像表示装置は、車両搭載用の画像表示装置であり、
前記第１画像は、前記車両の運転手に提示するものであり、
前記第１表示セルの前記第２開口部の所定方向に沿った幅は、前記第２表示セルの前記第２開口部の所定方向に沿った幅よりも狭く設定されている、
画像表示装置。
【請求項６】
第１と第２の画像のそれぞれを、分離方向に配置された２つの観察位置に表示する画像表示装置であって、
前記第１の画像を表示するための複数の第１副画素と、前記第２の画像を表示するための複数の第２副画素とが、前記分離方向に等間隔で配置された表示パネルと、
前記複数の第１副画素と前記複数の第２副画素とのそれぞれから射出される画像光を、それぞれ対応する前記２つの観察位置に導くためのバリアと、
を備え、
前記複数の第１副画素のそれぞれの前記分離方向の有効幅は、前記複数の第２副画素のそれぞれの有効幅よりも狭く設定されている、
画像表示装置。
【請求項７】
Ｎ個（Ｎは、２以上の整数）の画像のそれぞれを、分離方向に配置されたＮ個の観察位置に表示する画像表示装置であって、
前記Ｎ個の画像を表示するための前記分離方向に所定のセル間隔で配置された表示セルを有する表示パネルと、
前記分離方向に沿って隣接するＮ個の表示セルからなる表示セル列からのＮ本の画像光を、それぞれ対応する前記Ｎ個の観察位置に導くためのバリア開口部を各表示セル列毎に有するバリアと、
を備え、
前記表示セルは、前記表示セルの前記分離方向の開口幅を前記セル間隔よりも狭く制限する遮光領域を有しており、
前記表示セル列のうちの少なくとも１つの表示セルの開口幅は、他の表示セルの開口幅と異なっている、
画像表示装置。
【発明の詳細な説明】
【技術分野】
【０００１】
この発明は、複数の画像のそれぞれを分離して表示する画像表示装置に関する。
【背景技術】
【０００２】
液晶パネルの前面にストライプ状のバリア（イメージスプリッタ）を配置し、液晶パネルの左右の２つの観察位置のそれぞれで表示される画像を分離することにより、単一の液晶パネルにより互いに異なる画像を表示することが行われている。
【０００３】
【特許文献１】特開平８−１３６９０９号公報
【発明の開示】
【発明が解決しようとする課題】
【０００４】
しかしながら、液晶パネルの前面付近には２つの画像が分離されず、２つの画像が重なり合って表示される領域（「クロストーク領域」と呼ばれる）が発生する。このクロストーク領域は、２つの画像のそれぞれの視認に適した適視位置との中央に位置するため、クロストーク領域を液晶パネルの前面付近から外すと、２つの画像のそれぞれ適視位置もクロストーク領域の移動に伴い移動する。そのため、クロストーク領域の位置を任意の位置に設定することができなかった。この問題は、２つの画像を表示する液晶パネルのみならず、複数の画像を分離して表示する画像表示装置一般に共通する。
【０００５】
本発明は、上述した従来の課題を解決するためになされたものであり、複数の画像のそれぞれを分離して表示する画像表示装置において、クロストーク領域の発生位置をより柔軟に設定することを可能にする技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
第１の方向に第１画像を表示させ、前記第１の方向とは異なる第２の方向に第２画像を表示させる画像表示装置であって、前記第１画像を表示させる第１表示セルと、前記第２画像を表示させる第２表示セルとを有する複数の表示セルを備え、所定のセル間隔で前記第１表示セルと前記第２表示セルとが所定方向に交互に配置された表示パネルと、前記第１表示セルと前記第２表示セルとに対応して設けられた第１開口部を有し、前記第１開口部を介して前記第１表示セルからの光を前記第１の方向に出射し、前記第１開口部を介して前記第２表示セルからの光を前記第２の方向に出射する光学手段と、を備え、前記複数の表示セルの各々は、第２開口部と、当該第２開口部を区画し、かつ、前記第２開口部の前記所定方向に沿った開口幅を前記セル間隔よりも狭く制限する遮光領域と、を有しており、前記第１表示セルの前記第２開口部の前記所定方向に沿った開口幅は、前記第２表示セルの前記第２開口部の前記所定方向に沿った開口幅と異なっている、画像表示装置。
【０００８】
この適用例によれば、第１表示セルの第２開口部の開口幅を、第２表示セルの第２開口部の開口幅と異なるものとすることにより、第１画像と第２画像との表示範囲の幅を異なったものとすることができる。そのため、第１表示セルにより表示される第１画像と、第２表示セルにより表示される第２画像とが重複するクロストーク領域の位置をより柔軟に設定することが可能になる。
【０００９】
［適用例２］
適用例１記載の画像表示装置であって、前記複数の表示セルの各々において、前記遮光領域は、前記所定方向の両端部に設けられており、前記複数の表示セルは、前記所定方向に沿って配置される、前記第２表示セルとしての第１セル、前記第１セルに隣接し前記第１表示セルとしての第２セル、前記第２セルに隣接し前記第２表示セルとしての第３セルとを有しており、前記第１セルの前記第２開口部と前記第２セルの前記第２開口部との間の前記所定方向に沿った寸法は、前記第２セルの前記第２開口部と前記第３セルの前記第２開口部との間の前記所定方向に沿った寸法よりも長く設定されている、画像表示装置。
【００１０】
この適用例によれば、第１セルにより表示される第２画像と第２セルにより表示される第１画像とのクロストーク領域の幅を、第２セルにより表示される第１画像と第３セルにより表示される第２画像とのクロストーク領域の幅よりも狭くすることができる。
【００１１】
［適用例３］
適用例２記載の画像表示装置であって、前記第２セルの前記第２開口部と前記第３セルの前記第２開口部との間の前記所定方向に沿った寸法は、前記第１開口部の前記所定方向の寸法とほぼ同一に設定されている、
画像表示装置。
【００１２】
この適用例によれば、クロストーク領域の幅が第１開口部の所定方向の寸法とほぼ同じ長さとなるので、クロストーク領域を良好に縮小することができる。
【００１３】
［適用例４］
適用例１ないし３のいずれか記載の画像表示装置であって、前記表示セルは、前記画像光を生成するための一次光を射出する光源セルと、前記光源セルよりも前記光学手段側に設けられ、前記一次光を前記画像光に変換する色変換セルと、を有しており、前記セル間隔は、前記光源セルにおいて前記一次光の変調領域を決定する前記光源セルの構造上の間隔である、画像表示装置。
【００１４】
この適用例によれば、一次光を射出する光源セルの変調領域を決定する光源セルの構造上の間隔が所定のセル間隔に保たれるので、光源セルの変調領域を決定する構造の製造がより容易となる。
【００１５】
［適用例５］
適用例１ないし４のいずれか記載の画像表示装置であって、前記画像表示装置は、車両搭載用の画像表示装置であり、前記第１画像は、前記車両の運転手に提示するものであり、前記第１表示セルの前記第２開口部の所定方向に沿った幅は、前記第２表示セルの前記第２開口部の所定方向に沿った幅よりも狭く設定されている、画像表示装置。
【００１６】
この適用例によれば、運転者に提示する第１画像が表示される範囲が運転者側に縮小される。そのため、画像表示装置の正面側において、運転者に提示する画像とは異なる第２画像のみを視認可能な領域が拡がり、車両の同乗者が第２画像を視認することがより容易になる。
【００１７】
［適用例６］
第１と第２の画像のそれぞれを、分離方向に配置された２つの観察位置に表示する画像表示装置であって、前記第１の画像を表示するための複数の第１副画素と、前記第２の画像を表示するための複数の第２副画素とが、前記分離方向に等間隔で配置された表示パネルと、前記複数の第１副画素と前記複数の第２副画素とのそれぞれから射出される画像光を、それぞれ対応する前記２つの観察位置に導くためのバリアと、を備え、前記複数の第１副画素のそれぞれの前記分離方向の有効幅は、前記複数の第２副画素のそれぞれの有効幅よりも狭く設定されている、画像表示装置。
【００１８】
この適用例によれば、第１副画素の有効幅が第２副画素の有効幅よりも狭く設定されているので、第１の画像の表示範囲は、第２の画像の表示範囲よりも狭くなる。そのため、第１の画像と第２の画像とが重なって表示されるクロストーク領域が狭くなる。
【００１９】
［適用例７］
Ｎ個（Ｎは、２以上の整数）の画像のそれぞれを、分離方向に配置されたＮ個の観察位置に表示する画像表示装置であって、前記Ｎ個の画像を表示するための前記分離方向に所定のセル間隔で配置された表示セルを有する表示パネルと、前記分離方向に沿って隣接するＮ個の表示セルからなる表示セル列からのＮ本の画像光を、それぞれ対応する前記Ｎ個の観察位置に導くためのバリア開口部を各表示セル列毎に有するバリアと、を備え、前記表示セルは、前記表示セルの前記分離方向の開口幅を前記セル間隔よりも狭く制限する遮光領域を有しており、前記表示セル列のうちの少なくとも１つの表示セルの開口幅は、他の表示セルの開口幅と異なっている、画像表示装置。
【００２０】
この適用例によれば、少なくとも１つの特定の表示セルの開口幅を他の表示セルの開口幅と異なるものとすることにより、特定の表示セルにより表示される画像の表示範囲の幅を、他の表示セルにより表示される画像の表示範囲幅と異なったものとすることができる。そのため、特定の表示セルにより表示される画像と、特定の表示セルに隣接する隣接表示セルにより表示される画像とが重複するクロストーク領域の位置をより柔軟に設定することが可能になる。
【００２１】
なお、本発明は、種々の態様で実現することが可能である。例えば、画像表示装置、その画像表示装置を使用したコンピュータディスプレイ、テレビジョン装置、ナビゲーションシステム、その他の表示装置等の態様で実現することができる。
【発明を実施するための最良の形態】
【００２２】
次に、本発明の実施の形態を実施例に基づいて以下の順序で説明する。
Ａ．第１実施例：
Ｂ．第２実施例：
Ｃ．変形例：
【００２３】
Ａ．第１実施例：
図１は、本発明の一実施例としての画像表示装置１０の概略構成を示す説明図である。画像表示装置１０は、光源としてのバックライト１００と、液晶パネル２００と、液晶パネル２００を制御するコントローラ５００と、を備えている。図２は、液晶パネル２００の中心部を液晶パネル２００の上側（紙面上方）から見た様子を示している。なお、後述のように、液晶パネル２００において、液晶セルＰＸ１，ＰＸ２が、横方向（紙面横方向）および縦方向（紙面に垂直な方向）にマトリックス状に配列されている。図１及び図２において、液晶パネル２００の中心付近の一部分の液晶セルＰＸ１，ＰＸ２を拡大して示している。
【００２４】
コントローラ５００には、第１の画像ＩＭＧ１を表す画像データと第２の画像ＩＭＧ２を表す画像データとが入力される。コントローラ５００は、入力された２つの画像データから液晶パネル２００を駆動する駆動信号を生成し、液晶パネル２００に供給する。なお画像表示装置１０が車両に搭載される構成では、第１の画像ＩＭＧ１としては、テレビ受像画像等が想定され、第２の画像ＩＭＧ２としては、運転者に提示されるナビゲーションシステムの地図画像等が想定される。
【００２５】
液晶パネル２００は、第１のガラス基板２１０と、液晶層２２０と、フィルタ層２３０と、第２のガラス基板２４０と、バリア２５０と、をこの順に積層することにより形成されている。なお、液晶パネル２００には、２枚の偏光板が設けられているが、便宜上その図示を省略している。
【００２６】
第１のガラス基板２１０の液晶層２２０側には、図示しない画素電極が、横方向（紙面横方向）および縦方向（紙面に垂直な方向）にマトリックス状に配列されている。液晶層２２０の個々の画素電極に対応する液晶層２２０の領域（液晶セル）ＰＸ１，ＰＸ２では、コントローラ５００から画素電極に供給される駆動信号に応じて、液晶分子の配列が変化し、液晶セルＰＸ１，ＰＸ２における偏光面の回転量が変化する。コントローラ５００からは、液晶セルＰＸ１に対しては、第１の画像ＩＭＧ１に基づいて生成された駆動信号が供給され、液晶セルＰＸ２に対しては、第２の画像ＩＭＧ２に基づいて生成された駆動信号が供給される。この説明からわかるように、液晶セルＰＸ１，ＰＸ２の間隔は、液晶セルＰＸ１，ＰＸ２による偏光面の変調範囲を決定する画素電極の間隔であるとも言える。
【００２７】
第２のガラス基板２４０上に形成されるフィルタ層２３０は、ＲＧＢの３色のカラーフィルタを有している。フィルタ層２３０においては、これらのＲＧＢの３色のうちのいずれかの色のフィルタが、液晶層２２０の個々の液晶セルＰＸ１，ＰＸ２に対応づけて配置されている。なお、以下では、個々の液晶セルＰＸ１，ＰＸ２のそれぞれに対応づけられたフィルタを「フィルタ要素」とも呼ぶ。
【００２８】
バリア２５０は、光を透過しない遮光層２５２をガラス基板２５４上に設けることにより形成されている。以下では、バリア２５０において、遮光層２５２が設けられた領域を「遮光部」とも呼び、遮光層２５２が設けられていない領域を「開口部」とも呼ぶ。
【００２９】
バックライト１００から液晶パネル２００に入射した白色光は、図示しない２枚の偏光板と液晶層２２０とを通ることにより、液晶セルＰＸ１，ＰＸ２での偏光面の回転量に応じて強度が変調される。また、フィルタ層２３０において、個々のフィルタ要素を通過することにより白色光は、ＲＧＢの３色の画像光に変換される。３色の画像光は、バリア２５０を通って液晶パネル２００の外部へと射出される。なお、このように液晶セルとその液晶セルに対応づけられたフィルタ要素により、画像の表示に使用される画像光が射出されるので、液晶セルとその液晶セルに対応づけられたフィルタ要素とを併せて「表示セル」とも呼ぶことができる。また、液晶セルは、画像光を生成するための白色光（一次光）を射出するとも言えるので、液晶セルを「光源セル」とも呼ぶことができる。また、フィルタ要素は、白色光をＲＧＢの３色の画像光に変換する機能を有しているので、「色変換セル」とも呼ぶことができる。以上の説明から明らかなように、液晶パネル２００において、液晶層２２０とフィルタ層２３０とを含む積層体は、画像光を射出する表示セルを有しているので、液晶層２２０とフィルタ層２３０とを含む積層体は「表示パネル」ともいうことができる。
【００３０】
このように、第１実施例の画像表示装置１０においては、液晶パネル２００から射出される画像光がバリア２５０の開口部によって特定の方向に導かれることにより、第１の画像ＩＭＧ１と第２の画像ＩＭＧ２とが横方向（分離方向）に分離して表示される。そして、第１の適視位置ＸＭ１の観察者ＯＢＳ１は第１の画像ＩＭＧ１を観察することができ、第２の適視位置ＸＭ２の観察者ＯＢＳ２は第２の画像ＩＭＧ２を観察することができる。ここで、適視位置とは、設計上、対応する画像を視認できる最適位置を意味する。
【００３１】
図２は、液晶パネル２００（図１）のバリア２５０と液晶層２２０とフィルタ層２３０との構成を示す説明図である。図２（ａ）ないし図２（ｅ）は、液晶パネル２００の中心部を、バックライト１００側（以下、「光源側」とも呼ぶ）から見た様子を示している。図２（ａ）ないし図２（ｅ）において、一点鎖線は、液晶パネル２００の縦方向の中心線（縦中心線）を表しており、二点鎖線は、液晶パネル２００の横方向の中心線（横中心線）を表している。縦中心線と横中心線との交点ＣＰは、液晶パネル２００の中心位置である。
【００３２】
図２（ａ）は、バリア２５０の構成を示している。第１実施例のバリア２５０には、縦方向に延びたストライプ状の開口部ＡＰＬ，ＡＰＭ，ＡＰＲが設けられている。中心位置ＣＰ上の開口部ＡＰＭは、液晶パネル２００の中心位置ＣＰと開口部ＡＰＭの中心とが一致するように配置されている。隣接する開口部の間隔は、横ピッチＰに設定されている。なお、図２（ａ）に示すように、ストライプ状の開口部ＡＰＬ，ＡＰＭ，ＡＰＲを有するバリアは、一般に、「ストライプバリア」と呼ばれる。
【００３３】
図２（ｂ）は、液晶層２２０に形成される液晶セルＰＸ１，ＰＸ２の配置を示している。図２（ｃ）は、中心位置ＣＰ近傍の２つの液晶セルの拡大図である。図２（ｂ）および図２（ｃ）に示すように、縦中心線の近傍において、液晶セルは、横方向に隣接する液晶セルの境界が縦中心線と一致するように配置されている。また、横中心線上の液晶セルの中心は、横中心線上に位置するように配置されている。液晶セルは、横方向の間隔が横ピッチＨに設定されており、縦方向の間隔が縦ピッチＶに設定されている。なお、液晶セルＰＸ１，ＰＸ２の横ピッチＨと、開口部の横ピッチＰとは、バリア２５０とフィルタ層２３０との距離や、２つの画像ＩＭＧ１，ＩＭＧ２（図１）の適視位置ＸＭ１，ＸＭ２等により適宜決定される。また、液晶セルＰＸ１，ＰＸ２の縦ピッチＶは、適視位置ＸＭ１，ＸＭ２で観察される画像ＩＭＧ１，ＩＭＧ２の解像度などを考慮して適宜決定される。
【００３４】
図１に示すように、縦中心線に隣接する２つの液晶セルを通った光は、いずれも縦中心線上の開口部ＡＰＭを通過して液晶パネル２００から射出される。また、中心部の液晶セルの紙面右側（以下、単に「右側」という）に位置する２つの液晶セルを通った光は、縦中心線上の開口部ＡＰＭよりも右側の開口部ＡＰＲを通過して液晶パネル２００から射出される。同様に、紙面左側（以下、単に「左側」という）に位置する２つの液晶セルを通った光は、縦中心線上の開口部ＡＰＭよりも左側の開口部ＡＰＬを通過して液晶パネル２００から射出される。このように、液晶層２２０内に形成される横方向に配列された液晶セルは、図２（ｂ）において太線で示すように、開口部ＡＰＬ，ＡＰＭ，ＡＰＲのそれぞれに対応した液晶セルの組（液晶セル列）に分けることができる。
【００３５】
図２（ｄ）は、フィルタ層２３０の構成を示している。図２（ｄ）において、太線は、図２（ｃ）に示す個々の液晶セルＰＸ１，ＰＸ２に対応するフィルタ要素ＦＥ１，ＦＥ２を示している。図２（ｅ）は、中心位置ＣＰ近傍の２つのフィルタ要素ＦＥ２，ＦＥ１の拡大図である。図２（ｄ）および図２（ｅ）に示すように、縦中心線の近傍において、フィルタ要素は、横方向に隣接するフィルタ要素の境界が縦中心線と一致するように配置されている。また、横中心線上のフィルタ要素の中心は、横中心線上に位置するように配置されている。フィルタ要素の横方向の間隔と縦方向の間隔は、いずれも、図２（ｃ）に示す液晶セルと同じ間隔（横ピッチＨ，縦ピッチＶ）に設定されているので、フィルタ要素と液晶セルとは重なりあう。従って、フィルタ要素と液晶セルからなる表示セルは、液晶セル列に対応して表示セルの組（表示セル列）を形成する。
【００３６】
個々のフィルタ要素ＦＥ１，ＦＥ２の周囲には、「ブラックマトリックス」と呼ばれる遮光性の領域ＢＭが形成されている。このブラックマトリックスＢＭは、フィルタ要素に対応づけられる液晶セルに隣接する隣接液晶セルからの光（漏光）を遮るために設けられている。隣接液晶セルからの漏光を遮ることにより、表示される画像のコントラストが向上する。フィルタ要素のうち、ブラックマトリックスＢＭが形成されていない領域は、ＲＧＢの３色のいずれかの色光を透過するフィルタとなっている。このようにブラックマトリックスＢＭを形成することにより、フィルタ要素の開口幅は、横ピッチＨよりも狭くなる。
【００３７】
図２（ｃ）および図２（ｅ）に示すように、液晶セルＰＸ１に対応するフィルタ要素ＦＥ１のブラックマトリックスＢＭと、液晶セルＰＸ２に対応するフィルタ要素ＦＥ２の左側のブラックマトリックスＢＭとの幅は、それぞれ第１の幅ＷＢ１に設定されている。一方、フィルタ要素ＦＥ２の右側のブラックマトリックスＢＭは、その幅が第１の幅ＷＢ１よりも広い第２の幅ＷＢ２に設定されている。また、ブラックマトリックスＢＭの上下方向の幅は、２つのフィルタ要素ＦＥ１，ＦＥ２のいずれにおいても、第１の幅ＷＢ１に設定されている。なお、ブラックマトリックスＢＭの幅は、広くすることにより隣接液晶セルからの漏光によるコントラストの低下を抑制することができる。一方、ブラックマトリックスＢＭの幅を広くすることにより、フィルタ要素を通過する光量が低下する。ブラックマトリックスＢＭの第１の幅ＷＢ１は、このような特性を考慮して適宜設定される。一方、ブラックマトリックスＢＭの第２の幅ＷＢ２は、第１の幅ＷＢ１よりも広く設定される。なお、第２の幅ＷＢ２の具体的な設定方法については、後述する。
【００３８】
図３は、第１実施例と比較例におけるフィルタ層の構成を示す説明図である。図３（ａ）および図３（ｂ）は、図２（ｄ）および図２（ｅ）と同じ図面であり、第１実施例におけるフィルタ層２３０の構成を示している。図３（ｃ）および図３（ｄ）は、比較例としての従来のフィルタ層の構成を示している。図３（ａ）ないし図３（ｄ）は、液晶パネルの中心部を、光源側から見た様子を示している。図３（ａ）ないし図３（ｄ）において、一点鎖線は、液晶パネルの縦方向の中心線（縦中心線）を表しており、二点鎖線は、液晶パネルの横方向の中心線（横中心線）を表している。縦中心線と横中心線との交点ＣＰは、液晶パネルの中心位置である。なお、フィルタ層の構成を除いて、比較例の構成は、第１実施例の構成と同様である。
【００３９】
図３（ｃ）に示すように、比較例のフィルタ要素ＦＥ１，ＦＥ２ａの配置は、第１実施例のフィルタ要素ＦＥ１，ＦＥ２の配置と同じである。一方、図３（ｄ）に示すように、比較例のフィルタ要素ＦＥ２ａは、ブラックマトリックスＢＭの幅が全て同一の幅ＷＢ１に設定されている点で、図３（ｂ）に示す第１実施例のフィルタ要素ＦＥ２と異なっている。
【００４０】
図４は、比較例の液晶パネル２００ａにより、第１の画像ＩＭＧ１と第２の画像ＩＭＧ２とが横方向に分離して表示される様子を示す説明図である。図５は、第１実施例の液晶パネル２００により、第１の画像ＩＭＧ１と第２の画像ＩＭＧ２とが横方向に分離して表示される様子を示す説明図である。図４および図５においては、図示の便宜上、中心部の開口部ＡＰＭを通る中心部の２つの液晶セルＰＸ１，ＰＸ２からの画像光の光路を示している。図４および図５の一点鎖線は、液晶セルＰＸ１からフィルタ要素ＦＥ１を通過して射出される第１の画像ＩＭＧ１を表示する第１の画像光の光路を示し、二点差線は、液晶セルＰＸ２からフィルタ要素ＦＥ２，ＦＥ２ａを通過して射出される第２の画像ＩＭＧ２を表示する第２の画像光の光路を示している。
【００４１】
図４に示すように、第１の画像光のうち、フィルタ要素ＦＥ１のブラックマトリックス端部ＥＬ１から射出される光は、開口部ＡＰＭの右端ＡＥＲを通って、適視位置ＸＭ１，ＸＭ２を含む観察面ＰＯ上の位置ＸＲ１に到達する。また、ブラックマトリックス端部ＥＲ１から射出される光は、開口部ＡＰＭの左端ＡＥＬを通って、観察面ＰＯ上の位置ＸＬに到達する。そのため、観察面ＰＯの位置ＸＬ１，ＸＲ１の間の領域（第１の画像ＩＭＧ１の観察位置）には、左上から右下方向のハッチングで示す第１の画像ＩＭＧ１が表示される。
【００４２】
同様に、第２の画像光のうち、フィルタ要素ＦＥ２ａのブラックマトリックス端部ＥＬ２から射出される光は、開口部ＡＰＭの右端ＡＥＲを通って、観察面ＰＯ上の位置ＸＲ２に到達する。また、ブラックマトリックス端部ＥＲ２ａから射出される光は、開口部ＡＰＭの左端ＡＥＬを通って、観察面ＰＯ上の位置ＸＬ２ａに到達する。そのため、観察面ＰＯの位置ＸＬ２ａ，ＸＲ２の間の領域（第２の画像ＩＭＧ１の観察位置）には、右上から左下方向のハッチングで示す第２の画像ＩＭＧ２が表示される。
【００４３】
図４に示すように、第１の画像ＩＭＧ１の表示領域の右端ＸＲ１は、第２の画像ＩＭＧ２の表示領域の左端ＸＬ２ａよりも右側に位置する。そのため、観察面ＰＯの位置ＸＬ２ａと位置ＸＲ１との間の領域では、第１の画像ＩＭＧ１と第２の画像ＩＭＧ２とが重なり合って表示される。このように２つの画像が重なり合って表示される領域は、クロストーク領域と呼ばれる。
【００４４】
第１実施例の液晶パネル２００では、図２に示すように、フィルタ要素ＦＥ２の右側のブラックマトリックスＢＭの幅ＷＢ２が、フィルタ要素ＦＥ２の左側およびフィルタ要素ＦＥ１の左右両側のブラックマトリックスの幅ＷＢ１よりも広くなっている。そのため、図５に示すように、フィルタ要素ＦＥ２のブラックマトリックス端部ＥＲ２は、図４に示す比較例におけるフィルタ要素ＦＥ２ａのブラックマトリックス端部ＥＲ２ａよりも左側に位置している。その結果、第１実施例では、ブラックマトリックス端部ＥＲ２から射出され、開口部ＡＰＭの左端ＡＥＬを通った画像光は、観察面ＰＯ上において位置ＸＬ２ａよりも右側の位置ＸＬ２に到達する。
【００４５】
このように、第１実施例では、フィルタ要素ＦＥ２から射出された光が比較例よりも狭い観察面ＰＯの位置ＸＬ２，ＸＲ２の間の領域に到達するため、液晶パネル２００の正面方向におけるクロストーク領域が狭くなる。そして、クロストーク領域を狭くしても、第１の画像ＩＭＧ１の適視位置ＸＭ１と第２の画像ＩＭＧ２の適視位置ＸＭ２は、いずれも比較例と同じ位置に維持されている。なお、フィルタ要素ＦＥ２の右側のブラックマトリックスＢＭの幅ＷＢ２は、フィルタ要素ＦＥ１の左側のブラックマトリックスＢＭの幅ＢＷ１との和（ＷＢ２＋ＷＢ１）、すなわちフィルタ要素ＦＥ１，ＦＥ２にまたがって連続するブラックマトリックスの幅（連続幅）がバリア２５０の開口部ＡＰＬ，ＡＰＭ，ＡＰＲの幅とほぼ同一となるように設定するのが好ましい。このように設定することにより、クロストーク領域の幅がほぼバリア２５０の開口部ＡＰＬ，ＡＰＭ，ＡＰＲの幅となり、液晶パネル２００の正面での位置のクロストークを抑制することが可能となる。なお、ブラックマトリックスＢＭの連続幅がバリア２５０の開口部ＡＰＬ，ＡＰＭ，ＡＰＲの幅に対して±１０％の範囲で異なっていても、液晶パネル２００の正面での位置のクロストークを良好に抑制することができる。そのため、ブラックマトリックスＢＭの連続幅がバリア２５０の開口部ＡＰＬ，ＡＰＭ，ＡＰＲの幅に対して±１０％の範囲で異なっていても、これらの幅がほぼ同一であるとみなすことができる。
【００４６】
このように、第１実施例によれば、開口部に対応する表示セル列の２つのフィルタ要素のうちの左側のフィルタ要素ＦＥ２について、右側のフィルタ要素ＦＥ１に隣接する側（右側）のブラックマトリックスの幅を、隣接しない側（左側）よりも広くしている。これにより、２つの画像ＩＭＧ１，ＩＭＧ２の適視位置ＸＭ１，ＸＭ２を変えることなく液晶パネル２００の正面方向のクロストーク領域を狭くすることができる。
【００４７】
なお、画像表示装置１０を車両に搭載する場合、フィルタ要素ＦＥ２の右側のブラックマトリックスの幅を広くすることにより、第１の画像ＩＭＧ１のみを視認可能な領域が画像表示装置１０の正面側に広がる。そのため、車両の同乗者がテレビ受像画像等の第１の画像ＩＭＧ１を視認することがより容易になる。
【００４８】
Ｂ．第２実施例：
図６は、第２実施例におけるフィルタ層２３０ｂの構成を示す説明図である。図６（ａ）および図６（ｂ）は、液晶パネルの中心部を、光源側から見た様子を示している。図６（ａ）および図６（ｂ）において、一点鎖線は、液晶パネルの縦方向の中心線（縦中心線）を表しており、二点鎖線は、液晶パネルの横方向の中心線（横中心線）を表している。縦中心線と横中心線との交点ＣＰは、液晶パネルの中心位置である。第２実施例は、フィルタ層２３０（図２）がフィルタ層２３０ｂに置き換えられている点で、第１実施例と異なっている。他の点は、第１実施例と同様である。
【００４９】
図６（ｂ）に示すように、第２実施例のフィルタ要素ＦＥ１，ＦＥ２ｂは、第１実施例のフィルタ要素ＦＥ１，ＦＥ２の配置と同様に、横方向の間隔が横ピッチＨに設定され、縦方向の間隔が縦ピッチＶに設定されている。そのため、第２実施例のフィルタ要素も、第１実施例と同様に、液晶セルと重なりあう。一方、図６（ｂ）に示すように、第２実施例のフィルタ要素ＦＥ２ｂでは、横方向の２つのブラックマトリックスＢＭの幅は、いずれも、フィルタ要素ＦＥ１のブラックマトリックスの幅ＷＢ１と第１実施例のフィルタ要素ＦＥ１（図２（ｅ））の右側のブラックマトリックスの幅ＷＢ２との中間の幅ＷＢ３に設定されている点で、第１実施例のフィルタ要素ＦＥ２と異なっている。
【００５０】
第２実施例のフィルタ要素ＦＥ２ｂでは、このようにブラックマトリックスＢＭの幅を左右両方向で同一の幅ＷＢ３にすることにより、ＲＧＢの３色のいずれかの色光を透過するフィルタ（以下では、「フィルタ要素の開口部」とも呼ぶ）は、フィルタ要素ＦＥ２ｂの中心に位置している。また、フィルタ要素ＦＥ２ｂの左右のブラックマトリックスＢＭの幅ＷＢ３は、フィルタ要素ＦＥ１のブラックマトリックスの幅ＷＢ１より広く設定されている。そのため、フィルタ要素の組のうちのフィルタ要素ＦＥ２ｂの開口幅は、もう一方のフィルタ要素ＦＥ１の開口幅よりも狭くなる。このように、フィルタ要素ＦＥ２ｂの開口幅を狭くすることにより、図４に示す第２の画像ＩＭＧ２の表示領域は、適視位置ＸＭ２の方向に均等に狭められる。従って、液晶パネルの正面側と液晶パネルの右方向に生じるクロストーク領域のいずれをも狭くすることが可能となる。
【００５１】
このように、第２実施例では、液晶パネルの正面側と液晶パネルの右方向に生じるクロストーク領域のいずれをも狭くすることができる点で、第１実施例よりも好ましい。一方、第１実施例は、液晶パネルの正面側のクロストーク領域をより狭くすることができる点で、第２実施例よりも好ましい。
【００５２】
なお、第２実施例では、フィルタ要素ＦＥ２ｂの開口部をフィルタ要素ＦＥ２ｂの中心に配置しているが、フィルタ要素ＦＥ２ｂの開口部の位置は必ずしも中心に配置する必要はない。フィルタ要素ＦＥ２ｂの開口部は、狭くするクロストーク領域の位置に応じて、適宜その配置が設定される。
【００５３】
また、上記各実施例の画像表示装置１０の構成は、以下のように捉えることができる。すなわち、画像表示装置１０の液晶パネル２００は、２つの画像を表示するための第１と第２の副画素（表示セル）が横方向に横ピッチＨで等間隔に配置されている。これらの第１と第２の副画素のうちの、左側の副画素の有効幅、すなわち左側のフィルタ要素の開口部の横幅は、右側の副画素の有効幅よりも狭くなっている。そして、バリア２５０により、第１と第２の副画素から射出される画像光は、それぞれ対応する２つの観察位置に導かれる。
【００５４】
Ｃ．変形例：
なお、この発明は上記実施例や実施形態に限られるものではなく、その要旨を逸脱しない範囲において種々の態様において実施することが可能であり、例えば次のような変形も可能である。
【００５５】
Ｃ１．変形例１：
上記各実施例では、図２に示すように、バリア２５０として、ストライプ状の開口部を所定の間隔で横方向に配置したストライプバリアを使用しているが、バリアを異なる形状のものとしてもよい。バリアとしては、例えば、矩形の開口部が斜め方向に配置されたステップバリアを利用することも可能である。この場合、第１の画像ＩＭＧ１を表示する第１の表示セル（すなわち、液晶セルＰＸ１フィルタ要素ＦＥ１）と、第２の画像ＩＭＧ２を表示する第２の表示セル（すなわち、液晶セルＰＸ２とフィルタ要素ＦＥ２）とは、開口部の配置に対応して、液晶パネル２００の縦方向に沿って交互に配置される。この場合も、開口部に対応した表示セル列は、右側に第１の表示セルが配置され、左側に第２の表示セルが配置された表示セルの組となる。
【００５６】
Ｃ２．変形例２：
上記各実施例では、図２に示すように、フィルタ層２３０において、縦方向に同一色のフィルタが、左から右にＲＧＢの順に配置されているが、フィルタ層を異なる構成とすることも可能である。フィルタの配列は、バリアの形状や液晶セルＰＸ１，ＰＸ２の配列に応じて適宜変更可能である。
【００５７】
Ｃ３．変形例３：
上記各実施例では、本発明を液晶パネル２００を利用した画像表示装置１０に適用しているが、本発明は他の種類の画像表示装置に適用することも可能である。本発明は、一般に、２つの画像のそれぞれを２つの観察位置に表示する画像表示装置であり、画像光を生成するための一次光を生成する光源セルと、光源セルからの光を画像光に変換する色変換セルとを備える画像表示装置であれば、任意の画像表示装置に適用することができる。本発明は、例えば、エレクトロルミネセンス（ＥＬ）を利用した画像表示装置（ＥＬ表示装置）に適用することも可能である。ＥＬ表示装置としては、白色発光体から射出される光をフィルタによって色光に変換するＥＬ表示装置や、青もしくは青より短波長の発光体から射出される光を蛍光体によって色光に変換するＥＬ表示装置にも適用することができる。これらのＥＬ表示装置では、発光体が一次光を射出する光源セルに対応し、フィルタもしくは蛍光体が色変換セルに対応する。そして、変調領域は、発光体の形状、発光体に接続される電極線、発光体を駆動する薄膜トランジスタ（ＴＦＴ）等によって決定される。
【００５８】
Ｃ４．変形例４：
上記各実施例では、表示セルは、一次光を射出する光源セルと、一次光を画像光に変換する色変換セルと、を有するものとして構成されているが、この構成とは異なる表示セルを利用することもできる。一般に、画像光となる色光を直接発生することが可能であれば、任意の種類のものを表示セルとして利用することが可能である。このような表示セルとしては、プラズマ発光素子や、発光ダイオード（ＬＥＤ）等が利用可能である。
【００５９】
Ｃ５．変形例５：
上記各実施例では、画像表示装置１０は、２つの画像ＩＭＧ１，ＩＭＧ２のそれぞれを液晶パネル２００の左右の２つの観察位置に表示するように構成されているが、画像表示装置は、一般に、Ｎ個（Ｎは、２以上の整数）の画像のそれぞれを、横方向に配置されたＮ個の観察位置に表示するように構成することも可能である。この場合、バリアの開口部に対応する表示セル列は、Ｎ個の表示セルから構成される。そして、Ｎ個の表示セルのうちの少なくとも１つの表示セルにおいて、表示セル列内の他のセルに隣接する側のブラックマトリックスの幅が残りの表示セルのブラックマトリックスの幅よりも広くされればよい。このようにしても、Ｎ個の画像の適視位置を変えることなく、クロストーク領域を狭くすることができる。
【図面の簡単な説明】
【００６０】
【図１】画像表示装置の概略構成を示す説明図。
【図２】液晶パネルのバリアと液晶層とフィルタ層との構成を示す説明図。
【図３】第１実施例と比較例におけるフィルタ層の構成を示す説明図。
【図４】比較例の液晶パネルにより、第１と第２の画像が横方向に分離して表示される様子を示す説明図。
【図５】第１実施例の液晶パネルにより、第１と第２の画像が横方向に分離して表示される様子を示す説明図。
【図６】第２実施例におけるフィルタ層の構成を示す説明図。
【符号の説明】
【００６１】
１０…画像表示装置
１００…バックライト
２００，２００ａ…液晶パネル
２１０…第１のガラス基板
２２０…液晶層
２３０，２３０ａ，２３０ｂ…フィルタ層
２４０…第２のガラス基板
２５０…バリア
２５２…遮光層
２５４…ガラス基板
５００…コントローラ
【図１】
2009014996.tif 000003
【図２】
2009014996.tif 000004
【図３】
2009014996.tif 000005
【図４】
2009014996.tif 000006
【図５】
2009014996.tif 000007
【図６】
2009014996.tif 000008